(57)【特許請求の範囲】
【請求項１】
回線と接続された送受信部と、該送受信部が回線から受信した発呼側の用件メッセージを録音し再生する録再部と、表示部と、用件リストを表示開始するよう指示するキーと、記憶部と、制御部とを備え、
前記制御部は、回線を介して発呼側から前記用件メッセージの再生指示があると判定すると、前記送受信部を制御することにより前記用件メッセージを前記発呼側へ送信すると共に、再生された用件メッセージに対応して用件メッセージが再生されたことを示す情報と発信者電話番号を前記記憶部に格納し、用件メッセージ送信終了後、前記キーの操作があると判定すると、前記再生された用件メッセージの再生者の電話番号を表示させることを特徴とする通信装置。
【発明の詳細な説明】
【０００１】
【発明の属する技術分野】
本発明は通信装置に関する。
【０００２】
【従来の技術】
従来、この種の装置は例えば特開平９−２４７２６３号公報に示されている。この公報によると、用件を録音し再生する録再部と、送受信部と、制御部とを備え、送受信部を介して再生要求があると、制御部は再生要求先に、再生された用件を送信させている（リモート再生操作）。
【０００３】
【発明が解決しようとする課題】
この様に、従来の装置は、リモート再生操作により再生された情報を残さないので、誰が、いつ、リモート再生したかを知る事が出来ない第１の欠点がある。そのため、使用者は例えば外出先でリモート再生操作により再生したにも関わらず、自宅で通信装置の再生ボタンを押すと、再生された用件を２度聞くという、無駄な操作をする第２の欠点がある。故に、本発明はこの様な従来の欠点を考慮して、リモート再生操作した時に、誰が、いつリモート再生したかを知る事が出来る通信装置を提供する。
【０００４】
【課題を解決するための手段】
本発明は、このような課題に鑑みてなされたもので、回線と接続された送受信部と、該送受信部が回線から受信した発呼側の用件メッセージを録音し再生する録再部と、表示部と、用件リストを表示開始するよう指示するキーと、記憶部と、制御部とを備え、前記制御部は、回線を介して発呼側から前記用件メッセージの再生指示があると判定すると、前記送受信部を制御することにより前記用件メッセージを前記発呼側へ送信すると共に、再生された用件メッセージに対応して用件メッセージが再生されたことを示す情報と発信者電話番号を前記記憶部に格納し、用件メッセージ送信終了後、前記キーの操作があると判定すると、前記再生された用件メッセージの再生者の電話番号を表示させることを特徴とする。
【０００５】
請求項２の本発明では、前記制御部は前記表示部に、前記再生要求先に再生された用件を送信したか否かの表示をさせる。
【０００６】
請求項３の本発明では、前記制御部は前記再生要求から前記再生要求先の電話番号を求め、前記表示部に前記再生要求先の電話番号を表示させる。
【０００７】
請求項４の本発明では、電話番号および該電話番号に関する名前を記憶する記憶部を設け、前記制御部は前記表示部に、前記再生要求先の名前を表示させる。
【０００８】
請求項５の本発明では、前記情報は再生時刻を含むものとする。
【０００９】
請求項６の本発明では、入力部を設け、表示された前記情報が選択的に入力されると前記制御部は、選択された前記再生要求先が受信した前記用件を再生させる。
【００１０】
【発明の実施の形態】
以下に、本発明の実施の形態に係る通信装置を図１のブロック図に従い説明する。図１に於て、制御部１は例えばＣＰＵであり、バス２を介してリードオンリーメモリＲＯＭ３に接続されている。制御部１はＲＯＭ３に格納されている制御プログラムに基づいて、後述の部品を制御する。
【００１１】
ＲＡＭ５はランダムアクセスメモリ等の書き換え可能なメモリから成り、各種データが格納され、バス２に接続されている。これらのＲＯＭ３とＲＡＭ４により、記憶部５が構成されている。録再部６は用件（用件メッセージ）を録音し再生するものであり、例えば録音機能と、再生機能と、Ａ／Ｄ変換機能と、Ｄ／Ａ変換機能と、スイッチ機能を備えたＩＣ（集積回路素子）等から成る。
【００１２】
録再部６はバス２に接続され、また録再部６は各々、スピーカ７と、マイク８と、記憶手段（例えばフラッシュメモリ）９に接続されている。なお、ＲＯＭ３とＲＡＭ４と記憶手段９により、記憶部５を構成しても良い。
【００１３】
送受信部１０は例えばターミナルアダプタ（ＴＡ）から成り、ディジタル信号をＩＳＤＮ回線１１へ送信し、又はＩＳＤＮ回線１１からディジタル信号を受信するものであり、バス２と、録再部６に接続されている。ハンドセット１２は送受信部１０に接続されている。
【００１４】
表示部１３は例えば、６４０×４８０ドットの液晶表示装置から成り、バス２に接続されている。入力部１４は例えば、タッチパネル１５とキー部１６等から構成されている。タッチパネル１４は、例えば透明タッチパネルと入力ペン等から成り、表示部１３に重畳され、バス２に接続されている。キー部１６は例えば電話番号等を入力するためのテンキー等の複数の入力キーから成り、バス２に接続されている。以上の部品により、通信装置１７が構成されている。
【００１５】
次に、この通信装置１７の動作を、図１ないし図８に従い説明する。図２は通信装置１７に於ける用件録音時のフローチャート、図３は図２に続くフローチャート、図４はリモート再生時のフローチャート、図５は図４に示した書込み処理時のフローチャート、図６は用件リフト表示時のフローチャート、図７は記憶部５に記憶されたテーブルを示す図面、図８は前記用件リストを示す図面である。
【００１６】
これらの図に於て、制御部１は、第１端末（例えば電話機であるが図示せず）と、ＩＳＤＮ回線１１と、送受信部１０と、バス２を介して着信の通知があると（図２のＳ１）、回線を閉結する（Ｓ２）。そして、制御部１は第１端末に係る発信者電話番号を取得する（Ｓ３）。例えば制御部１は、第１端末から、ＩＳＤＮ回線１１の制御チャンネルであるＤチャンネルを介して、送信されるセットアップメッセージを受信させ、上記メッセージに含まれる発信者電話番号を抽出する。
【００１７】
仮に、使用者が通信装置１７を留守モードに設定していれば、制御部１は留守モードか否かの判定を肯定する（Ｓ４）。制御部１は録再部６に、「ただ今留守をしています。ピーと鳴ったら、ご用件をお話し下さい」と、留守応答メッセージの再生を開始させる（Ｓ５）。
【００１８】
その時、制御部１は、ＣＮＧ信号の有無を調べ（Ｓ６）、キー部１６の「＊」信号の有無を調べ（Ｓ７）、オフフックの有無を調べる（Ｓ８）。そして、制御部１は、再生が終了していなければ（Ｓ９）、Ｓ６からＳ９までの動作を繰返す。
【００１９】
次に制御部１は留守応答メッセージの再生が終了したと判定すると（Ｓ９）録再部６へ録音コマンドを送り、録再部６に用件の録音を開始させる（Ｓ１０）。制御部１は、オフフックの有無を調べ（Ｓ１１）、録音終了かを判定し（Ｓ１２）、Ｓ１２を否定すれば、Ｓ１１とＳ１２の動作を繰返す。
【００２０】
この様にして、第１端末の発信者が用件を話し始め、発信者が切断動作（オンフック）をするか、又は通信装置１７の録音時間がタイムアウトになると、制御部１は録音が終了したと判定し（Ｓ１２）、回線を切断させる（Ｓ１３）。
【００２１】
制御部１は、記憶部５に記憶された録音データテーブル（図７（ａ）参照）に於て、用件数を１個加算する（Ｓ１４）。そして制御部１は、上記Ｓ１０に於て録音された用件（録音データ）にメッセージＩＤ（例えば１）を割り付ける（Ｓ１５）。制御部１は、録音データテーブル（図７（ａ）参照）にＩＤ（例えば１）を設定する（Ｓ１６）。
【００２２】
次に制御部１は、録音データテーブルに於て、上記ＩＤに関連付けて、第１端末の発信者電話番号（例えば００−００００−００００）を設定し、録音時刻（例えば録音を開始した時刻であり、一般的にｈｈ：ｍｍ：ｓｓと表し、具体例として１２：２０：２０と表す）を設定する（Ｓ１７）。
【００２３】
そして制御部１は、録音データテーブルに於て、本体再生情報に０を設定する（Ｓ１８）。本体再生情報とは、上記Ｓ１０に於て録音された録音データが、本体側（即ち通信装置１７の本体を操作する事）で再生されたか否かを示す。再生された場合は１が、再生されていない場合は０が設定される。
【００２４】
次に制御部１は、録音データテーブルに於て、リモート再生情報に０を設定する（図３のＳ１９と図７（ａ）を参照）。リモート再生情報とは、上記Ｓ１０に於て録音された録音データが、リモート再生（送受信部１０とＩＳＤＮ回線１１を介して第２端末から再生要求があり、録音データが再生される事）されたか否かを示す。再生された場合は１が、再生されていない場合は、０が設定される。以上で、用件録音時の動作説明を終わる。
【００２５】
次に、例えば使用者がリモート再生する動作を、主に図４と図５に従い説明する。例えば、使用者が外出先で携帯電話にて、通信装置１７（例えば自宅の電話機）の電話番号をダイヤリングする。通信装置１７が着信し、留守モードで有れば、通信装置１７は留守応答メッセージを再生する。その後、使用者が例えば携帯電話の「＊」キーを入力すれば、制御部１は、リモート再生モードである事を認識する（Ｓ１）。
【００２６】
そして、制御部１は録再部６をして、「パスワードを入力して下さい」というメッセージを再生させ、使用者が携帯電話にてパスワードを入力すると、制御部１は送受信部１０をして、パスワード受信処理させる（Ｓ２）。
【００２７】
次に制御部１は、入力されたパスワードが正しいか否かを判定する（Ｓ３）。もしも上記入力されたパスワードが、通信装置１７に登録されたものと同一ならば制御部１はＳ３を肯定する。制御部１は、コマンド入力を待ち（Ｓ４）、終話か否かを否定すれば（Ｓ５）、再生コマンドか否かを判定する（Ｓ６）。
【００２８】
使用者が携帯電話の例えば「＃」キーを入力すれば、制御部１はＳ６を肯定する。制御部１はＳ６に従い、再生コマンドを録再部６へ送り、録再部６をして、録音されている用件の再生を開始する（Ｓ７）。
【００２９】
制御部１は終話か否かを判定し（Ｓ８）、これを否定すれば、再生終了か否かを判定し（Ｓ９）、これを否定すれば、Ｓ８とＳ９の動作を繰返す。
【００３０】
制御部１は再生終了と判定すると（Ｓ９）、リモート再生情報書込み処理を行なう（Ｓ１０）。即ち、図５に示す様に、制御部１は、リモート再生情報が０か否かを判定する（Ｓ１１）。上述の説明（図３のＳ１９を参照）では、上記情報は０であるので、制御部１はＳ１１を肯定する。
【００３１】
次に制御部１は、録音データテーブル（図７（ａ）参照）に於て、リモート再生情報に１（再生済み）を設定する（Ｓ１２）。そして制御部１は、ＲＡＭ４に於て、リモート再生詳細情報テーブル（図７（ｂ）に示すリモート再生データテーブル）の領域を確保し、そのアドレスを録音データテーブルの「リモート再生詳細情報保存先アドレス」に書き込む（Ｓ１３）。
【００３２】
そして制御部１は、リモート再生データテーブルに於て、再生回数として１を設定する（Ｓ１４）。次に、制御部１は、リモート再生データテーブルに於て、１回目のリモート再生詳細情報を設定する（Ｓ１５）。リモート再生詳細情報は例えば発信者（再生要求先）電話番号と、リモート再生時刻等から成る（図７（ｂ）参照）。
【００３３】
また、リモート再生情報が既に記憶されていれば、制御部１はＳ１１を否定しリモート再生データテーブルに於て、再生回数を１回増やし（Ｓ１６）、発信者電話番号と、リモート再生時刻のデータを追加させる（Ｓ１５）。
【００３４】
次に制御部１は、次用件が有るか無いかを判定する（図４のＳ１７を参照）。制御部１はＳ１７を肯定すれば、Ｓ７の直前に戻り、Ｓ１７を否定すれば、Ｓ４の直前に戻る。この様な動作を行ない、制御部１は終話であると判定すれば（Ｓ５又はＳ８）、回線を切断させ（Ｓ１８）、リモート再生の動作を終了する。
【００３５】
次に、用件リストを表示する動作を、主に図６ないし図８に従い説明する。例えば使用者は通信装置１７の入力部１４に設けられた表示開始キー（図示せず）を押すと、制御部１は録音データテーブル（図７（ａ）参照）に記憶された用件数を変数として設定する。そして制御部１は、録音データテーブルにアクセスするためのインデックスを０に設定する（Ｓ１）。
【００３６】
そして制御部１はインデックスが用件数以上か否かを判定する（Ｓ２）。上述の説明では、インデックスが用件数より小さいので、制御部１はＳ２を否定する。
【００３７】
次に制御部１は、インデックスが示す用件の発信者電話番号と録音時刻等を表示部１３に表示させる（Ｓ３）。即ち、制御部１は、録音データテーブルのメッセージＩＤ１に関して記録されたデータに基づいて、表示部１３に設けられた用件リストに於て、録音者（発信者）電話番号（００−００００−００００）と、録音時刻（１０：２３：３２）を表示させる（図８（ｃ）参照）。
【００３８】
そして制御部１は、表示部１３にインデックスが示す本体再生情報を表示させる（Ｓ４）。即ち制御部１は、録音データテーブルのメッセージＩＤ２に関して記録されたデータに基づいて、用件リストに於て、本件再生情報（本件に於て再生したか否かを示す情報）を表示させる（図８では図示せず）。
【００３９】
次に制御部１は、録音データテーブルのメッセージＩＤ１に関して記録されたデータに於て、リモート再生情報が１であるか否かを判定する（Ｓ５）。上述の説明では、上記データに於て、リモート再生情報は１であるので、制御部１はＳ５を肯定する。
【００４０】
そして制御部１は、インデックスが示す用件のリモート再生詳細情報を表示させる。即ち制御部１は、リモート再生データテーブル（図７（ｂ）参照）にアクセスし、上記テーブルのデータに基づいて、表示部１３に設けられた用件リストに於て、再生者（再生要求先）の電話番号（０１−２３４５−６７８９）と、再生時刻（１３：１３：１３）を表示させる（図６のＳ６と図８（ｃ）を参照）。
【００４１】
なお、上記電話番号は例えば、通信装置１の使用者（例えば父親）の携帯電話の番号である。更に、制御部１は、用件リスト（図８（ｃ））に於て、再生者の電話番号（１２−３４５６−７８９０）と、再生時刻（１４：１４：１４）を表示させる。上記電話番号は例えば上記父親の次女が持つ携帯電話の番号である。
【００４２】
次に、制御部１はインデックスに１を加算し（Ｓ７）、インデックスは２となり、制御部１は再びＳ２以降の動作を繰り返す。また制御部１はリモート再生情報が１か否かを否定すると（Ｓ５）、未再生の表示を行わせる（図６のＳ８と図８（ａ）を参照）。
【００４３】
この様な動作を繰り返す事により、制御部１は表示部１３の用件リストに於て録音者番号と、録音時刻と、再生要求先に再生された用件を送信したか否かの表示（リモート再生）を行わせる。更に制御部１は上記用件リストに於て、再生要求先の電話番号（再生者番号）と再生時刻（時刻）を表示させる（図８参照）。
【００４４】
以下に、この通信装置１７の特徴をまとめる。制御部１は、送受信部１０を介して再生要求があると（図４のＳ６参照）、制御部１は再生要求先（再生者）に、再生された用件を送信させる（図４のＳ７、Ｓ８、Ｓ９参照）。そして制御部１は表示部１３に、再生要求先を示す情報（例えば再生要求先の電話番号等）を表示させる（図６のＳ６参照）。
【００４５】
制御部１は、表示部１３に、再生要求先（再生者）に、再生された用件を送信したか否かを表示させる（図８のリモート再生の欄に於ける、有と無の表示を参照）。
【００４６】
また制御部１は、再生要求から再生要求先の電話番号を求め（図２のＳ３に相当する動作）、表示部１３に、再生要求先（再生者）の電話番号を表示させる（図６のＳ６と、図８の再生者番号の欄を参照）。
【００４７】
更に望しくは、通信装置１７の記憶部５には、電話番号（例えば通信装置１７の使用者である父親が利用する携帯電話の電話番号０１−２３４５−６７８９）と、上記電話番号に関連する名前（例えば父親の名前である三洋太郎）が記憶されている。そして制御部１は表示部１３にリモート再生詳細情報を表示する時に（図６のＳ６）、再生者の電話番号（０１−２３４５−６７８９）の代わりに「三洋太郎」を表示しても良い。又は、再生者の電話番号と再生者の名前を併記して表示させても良い。
【００４８】
また上述の様に、表示部１３に表示され、再生要求先を示す情報に再生時刻を含んでも良い（図６のＳ６と、図８の右欄の時刻を参照）。
【００４９】
更に、入力部１４を設け、使用者は表示された前記情報の中で、図８（ｄ）の部分が選択されて入力する（例えば図８（ｄ）の部分がタッチペンにより押されると）、その結果、制御部１は、選択された再生要求先（例えば２３−４５６７−８９０１や３４−５６７８−９０１２の電話番号の携帯電話機を持つ再生者）が受信した用件を再生させる。なお、図８（ｄ）に於て、２３−４５６７−８９０１と３４−５６７８−９０１２は前記家族に於ける、長女と、母親が各々利用する携帯電話機の電話番号を示す。
【００５０】
【発明の効果】
上述の様に請求項１の本発明では、送受信部を介して再生要求があると、制御部は再生要求先に、再生された用件を送信させ（リモート再生）、表示部に再生要求先を示す情報を表示させる。その結果、使用者は、リモート再生された用件を除いた用件に限定して、再生ボタンを押す事により、再生された用件を２度聞くという、無駄な操作を防止する事が出来る。
【００５１】
請求項２の本発明では、制御部は表示部に、再生要求先に再生された用件を送信したか否か（リモート再生したか否か）の表示をさせる。その結果、使用者はリモート再生していない用件を全て選択すれば良く、操作性が向上する。そして使用者は、リモート再生したという表示がある用件の中で、自分がリモート再生していないものを選択すれば良く、未再生の用件を検索し易くなる。
【００５２】
請求項３の本発明では、制御部は再生要求から再生要求先の電話番号を求め、表示部に再生要求先の電話番号を表示させる。この様に、表示部に表示され再生要求先を示す情報として電話番号を持っているので、使用者は前記電話番号が自己の端末機が持つ番号と同一か否かを容易に判別できる。
【００５３】
請求項４の本発明では、電話番号および該電話番号に関連する名前を記憶する記憶部を設け、制御部は表示部に、再生要求先の名前を表示させる。この様に、表示部にリモート再生した再生要求先の名前を表示させるので、使用者は、ある用件がすでに自分がリモート再生したか否かを明確に判別できる。
【００５４】
請求項５の本発明では、前記情報に再生時刻を含ませるものである。この様にリモート再生された用件を、誰が、いつ再生したかが判るので、使用者以外の人に留守録情報（用件）が伝達された事が判り、使い勝手が向上する。
【００５５】
請求項６の本発明では、入力部を設け、表示された情報が選択的に入力されると、制御部は、選択された再生要求先が受信した用件を再生させる。この様に、表示部と入力部を一体化する事により、使用者は、リモート再生されていない再生要求先を確実に選択する事が出来る。その結果、再生された用件を２度聞くという、無駄な操作を確実に防止する事が出来る。
【図面の簡単な説明】
【図１】本発明の実施の形態に係る通信装置１７のブロック図である。
【図２】前記通信装置１７に於ける用件録音時のフローチャートである。
【図３】図２に続くフローチャートである。
【図４】前記通信装置１７に於けるリモート再生時のフローチャートである。
【図５】図４に示した書込み処理時のフローチャートである。
【図６】前記通信装置１７に於ける用件リスト表示時のフローチャートである。
【図７】図７（ａ）は前記通信装置１７に設けられた記憶部５に記憶された録音データテーブルを示す図面、図７（ｂ）は前記記憶部５に記憶されたリモート再生データテーブルを示す図面である。
【図８】前記通信装置１７に設けられた表示部１３に表示された表示リストを示す図面である。
【符号の説明】
１  制御部
６  録再部
１０  送受信部
１３  表示部
【図１】
0003685638.tif 000002
【図２】
0003685638.tif 000003
【図３】
0003685638.tif 000004
【図４】
0003685638.tif 000005
【図５】
0003685638.tif 000006
【図６】
0003685638.tif 000007
【図７】
0003685638.tif 000008
【図８】
0003685638.tif 000009